【事件の表示】
　特願２０１５−１０７２９３号「遊技機」拒絶査定不服審判事件〔平成２８年１２月２８日出願公開、特開２０１６−２２０７３４号〕について、次のとおり審決する。
【結　論】
　本件審判の請求は、成り立たない。
【理　由】
１　手続の経緯の概要
　本願は、平成２７年５月２７日の特許出願であって、平成３０年１２月２０日付けで拒絶の理由が通知され、平成３１年３月８日に意見書及び手続補正書が提出され、さらに令和１年６月２７日付けで最後の拒絶の理由が通知され、同年９月２日に意見書及び手続補正書が提出されたところ、
　令和２年２月１３日付け（送達日：同年同月２５日）で、令和１年９月２日に提出された手続補正書による補正が却下されるとともに拒絶査定（以下「原査定」という。）がなされ、
　それに対して、令和２年５月２１日に拒絶査定不服審判の請求がなされると同時に手続補正書が提出され、
　これに対し、当審において、令和３年１月７日付けで拒絶の理由が通知され、同年３月５日に意見書及び手続補正書が提出されたものである。
　
２　本願発明
　本願の特許請求の範囲の請求項１に係る発明（以下「本願発明」という。）は、令和３年３月５日に提出された手続補正書の特許請求の範囲の請求項１に記載された事項により特定される次のとおりのものである（記号Ａ〜Ｉは、分説するために当審判合議体にて付した。）。
「Ａ　遊技媒体を遊技領域に打込むことにより、変動表示を実行可能であり、遊技者にとって有利な有利状態に制御可能な遊技機において、
　Ｂ　前記遊技領域は、遊技媒体が流下可能な経路として、遊技媒体の打分けが可能な第１経路と第２経路とを含み、
　Ｃ　少なくとも通常状態においては前記第１経路を遊技媒体が流下した方が有利に構成され、
　Ｄ　少なくとも前記有利状態と、前記通常状態および前記有利状態とは異なる特定状態と、において、前記第２経路を遊技媒体が流下した方が前記第１経路を遊技媒体が流下したときよりも遊技者にとって有利に構成され、
　Ｅ　前記第２経路への遊技媒体の打込みを促進させることが可能な促進報知を行なう促進報知手段と、
　Ｆ　前記促進報知手段により前記促進報知を行なっているときに、前記促進報知をしていることを特定可能な特定信号を遊技機の外部に出力可能な外部信号出力手段と、を備え、
　Ｇ　前記促進報知手段は、
　Ｇ１　前記有利状態と前記特定状態とにおいて前記促進報知を行ない、
　Ｇ２　当該有利状態の終了後の状態が前記通常状態であったとしても、当該有利状態の終了後に実行される１回目の変動表示が前記特定状態に制御可能な表示結果となる変動表示であるときに変動開始時においても前記促進報知を行ない、
　Ｇ３　当該有利状態の終了後の状態が前記通常状態であったとしても、当該有利状態の終了後に実行される変動表示が前記有利状態に制御可能な表示結果となる変動表示であるときに、変動開始時においても前記促進報知を行なうことが可能であり、
　Ｇ４　前記特定状態中に行なわれる前記促進報知を、前記有利状態中に行なわれる前記促進報知よりも視認が困難な報知態様で行なうことが可能であり、
　Ｈ　前記外部信号出力手段は、前記有利状態において前記特定信号を遊技機の外部に出力するとともに、当該有利状態の終了後に実行される変動表示が前記特定状態に制御可能な表示結果となる変動表示であるときには当該有利状態の終了後においても前記特定信号を遊技機の外部に出力する、
　Ｉ　遊技機。」
　
３　拒絶の理由
　当審で通知した拒絶の理由は、次のとおりである。
（１）（進歩性）
　本願発明は、その出願前に日本国内において、頒布された下記の引用文献１〜３に基いて、その出願前にその発明の属する技術の分野における通常の知識を有する者が容易に発明をすることができたものであるから、特許法第２９条第２項の規定により特許を受けることができない。
　
　　　　　　　　　　　　　　　　記
　　引用文献１：特開２０１４−２０３号公報
　　引用文献２：特開２０１４−２０４８７０号公報
　　引用文献３：特開２０１０−１１９４２７号公報
　
４　進歩性について
（１）引用文献１について
　当審で通知した拒絶の理由において引用された、本願の出願前に頒布された刊行物である引用文献１（特開２０１４−２０３号公報）には、図面とともに次の事項が記載されている（下線は当審判合議体にて付した。以下同じ。）。
　
　　ア　「【発明が解決しようとする課題】
【０００５】
　しかしながら、遊技球の発射態様を遊技状態に応じて変更させるパチンコ機においては、例えば第１の発射態様（例えば「右打ち」）から第２の発射態様（例えば「左打ち」）へ変更した直後に、第１の発射態様でしか遊技球を到達させることのできない領域において、比較的短い間だけ可変入賞装置が開放状態となる場合がある。かかる場合には、第２の発射態様から第１の発射態様へ戻していては、到底、遊技球を可変入賞装置へ入賞させることは難しい。このように、遊技球の発射態様を遊技状態に応じて変更させるパチンコ機においては、遊技球の発射態様の変更により、遊技者が不利益を受けるおそれがある。結果として、遊技者にとっての興趣が低下してしまうおそれがある。
【０００６】
　本発明は、上記例示した問題点などを解決するためになされたものであり、その目的は、
遊技者にとっての興趣の向上等を図る
　
　　イ　「【００１０】
　以下、
パチンコ遊技機
　
　　ウ　「【００１８】
　前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される
遊技盤３０（遊技領域）
　
　　エ　「【００２８】
　次に、遊技盤３０の構成について図４を参照して説明する。
遊技盤３０には、
上始動入賞口３３Ａ、下始動入賞口３３Ｂ
に配設され
・・・
【００３１】
　可変入賞装置３２は、遊技球が入賞可能な大入賞口３２ａと、当該大入賞口３２ａを開閉する開閉部材としての矩形平板状の開閉板３２ｂと、当該開閉板３２ｂを開閉駆動する大入賞口用ソレノイド（図示略）とを備えている。
【００３２】
　
可変入賞装置３２は、
大当たりや小当たりが発生した場合
には、
遊技球が大入賞口３２ａへ入賞可能な開状態となる。
・・・
【００３６】
　ここで、本実施形態における大当たり種別について詳しく説明する。図３４に示すように、本実施形態では、
大当たり種別として、
確変大当たり
確変大当たり
確変大当たり
確変大当たり
通常大当たり
通常大当たり
通常大当たり
通常大当たり
　
　　オ　「【００７６】
　さらに、可変表示装置ユニット３５には、
装飾図柄表示装置４２にて行われている変動表示が上始動入賞口３３Ａ及び下始動入賞口３３Ｂのうちどちらの入賞に対応する
・・・
【００８９】
　また、遊技盤３０には、内レール構成部５１と外レール構成部５２とからなり、
発射装置６０から発射された遊技球
遊技球は
遊技盤３０とガラスユニット１３７との間に形成される遊技領域内に案内される。
・・・
【０１０５】
　
外部中継端子板２４０は、遊技ホールのホールコンピュータなどへの各種情報送信を中継するためのものであり、複数の外部接続端子が設けられている。
現在の遊技状態
に関する情報を出力するための端子
　
　　カ　「【０１２２】
　次に、パチンコ機１０の電気的構成について説明する。図７は、本パチンコ機１０の電気的構成を示すブロック図である。主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。 
・・・
【０１２７】
　かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、第１及び第２特別表示装置４３Ｌ、４３Ｒ、普通図柄表示装置４１等が接続されている。この構成により、上述した特別表示装置４３Ｌ、４３Ｒ及び普通図柄表示装置４１は、主制御装置２６１により直接的に制御される。一方、
装飾図柄表示装置４２は、サブ制御装置２６２を介して制御される。
　
　　キ　「【０４９３】
　次に、
保留表示設定処理について図３３を参照して詳しく説明する。
　
　　ク　「【図３３】
　」
　　ケ　「【０４９６】
　一方、ステップＳ４５０１において肯定判別された場合、すなわち
第２サブ変動保留エリアの保留第１〜第４エリアのいずれかに小当たり情報が含まれている場合には、
保留表示変更処理を行い
【０４９７】
　ステップＳ４５０２の保留表示変更処理が行われることにより、第２保留表示領域Ｗ３ｂに表示される４つの保留画像ＴＢ１〜ＴＢ４のうち、上記小当たり情報を含む保留エリアに対応する保留画像ＴＢ１〜ＴＢ４のいずれかが、通常保留表示時の「保留ランプ画像」から「星型画像」に差し替えられる。
例えば図４５に示した例
　
　　コ　「【図４５】
　」
　
　　サ　「【０５１０】
　
通常状態においては、遊技者が可変表示装置ユニット３５の左側方領域に向けて遊技球を発射する行為（かかる行為を以下、「左打ち」という）
遊技者は「左打ち」して遊技を行う。可変表示装置ユニット３５の左側方領域
第１の領域を構成する。
【０５１１】
　
「左打ち」した場合、遊技球の多くは、
可変表示装置ユニット３５の下側に位置する上始動入賞口３３Ａの方へと誘導される。そのうち、いくつの遊技球が上始動入賞口３３Ａへ入賞することとなる。
【０５１２】
　尚、本実施形態では、下始動入賞口３３Ｂ（電動役物３７）の開放契機となるスルーゲート３４が、可変表示装置ユニット３５の右側方領域、すなわち可変表示装置ユニット３５の左側方領域を流下した遊技球が到達不能な位置に配置されているため、遊技者が「左打ち」を続けた場合、電動役物３７が開放されることはなく、遊技球が下始動入賞口３３Ｂへ入賞することはない。
可変表示装置ユニット３５の右側方領域
第２の領域を構成する。
【０５１３】
　つまり、
通常状態においては、「左打ち」して遊技を行った方が、遊技をより有利に進めることができるよう設定されている。
　
　　シ　「【０５１６】
　上始動入賞口３３Ａへの遊技球の入賞に基づき、大当たり抽選に当選した場合には、リーチ状態を経て、所定の大当たりライン上に、
大当たりの組合わせの装飾図柄Ｚが停止表示される。
大当たりの組合わせの装飾図柄Ｚが
停止表示されると、大当たり状態の発生が確定する。
【０５１７】
　
大当たり状態が発生した場合には、可変入賞装置３２の開閉板３２ｂが開放し、大入賞口３２ａへ遊技球が入賞可能な状態となる
【０５１８】
　但し、本実施形態では、可変入賞装置３２が、可変表示装置ユニット３５の右側方領域（可変表示装置ユニット３５の左側方領域を流下した遊技球が到達不能な位置）に配置されているため、遊技者が「左打ち」を続けた場合、可変入賞装置３２へ遊技球を入賞させることができない。そのため、図４１に示すように、
大当たり演出が開始されると、指示表示領域Ｗ２には、遊技者が可変表示装置ユニット３５の右側方領域に向けて遊技球を発射する
「右打ち」
を推奨するように、「右打ち→」と表示される。
遊技者は、遊技球が
右側方領域へ向かうよう、「左打ち」から「右打ち」に切替えて大当たり遊技を行う。
【０５１９】
　ここで
「右打ち」した場合、遊技球の多くは、
可変入賞装置３２の方へと誘導され、
　
　　ス　「【０５４１】
　但し、本実施形態では、「高サポートモード」中に小当たり当選し、
下始動入賞口３３Ｂに係る第２サブ変動保留エリアのいずれかの保留エリアに小当たり情報が格納されている場合には、
図４５に示した例では、
指示表示領域Ｗ２において「右打ち→」と表示される。
・・・
【０５４３】
　上述したとおり、小当たり状態における可変入賞装置３２の開放時間は極めて短いため、「左打ち」している状態から、小当たり発生後に「右打ち」へ切換えていたのでは間に合わず、可変入賞装置３２へ遊技球を入賞させるためには、予め「右打ち」しておく必要がある。この点、本実施形態では、上記小当たり示唆により、
遊技者は、小当たりが発生することを把握できるため、
小当たりの取りこぼしが少なくなる。
・・・
【０５５０】
　この点、本実施形態では、遊技球が下始動入賞口３３Ｂへ入賞することに起因して、比較的当選しやすい確率で小当たり抽選が行われる。そして、小当たり抽選に当選した場合には、可変入賞装置３２が開状態となる。つまり、遊技者は、ハンドル１８の操作量を変更することなく、「右打ち」を継続したまま、遊技球を可変入賞装置３２へ入賞させることができ、適度に賞球を得ることが可能となる。これにより、持ち球の減少が比較的少なくなるため、遊技者は、持ち球の減少にそれほど気遣いをせずともよく、
大当たりに当選するための遊技に集中することができる。
　
　　セ　「【０５９１】
　また、上記実施形態では、
小当たり情報が保留エリアに格納された場合には、常に小当たり報知又は示唆する構成となっている
・・・
【０５９４】
　また、
小当たり報知又は示唆を開始するタイミング
大当たり終了時に小当たり報知又は示唆を開始する構成としてもよい。
大当たりの終了タイミングとしては、
エンディングが終了した時点
が挙げられる。
【０５９５】
　また、上記実施形態では、
小当たり報知又は示唆として、
指示表示領域Ｗ２における「右打ち→」の指示表示との両者を併せて行う構成となっている。これに限らず、両者を個別に行う構成としてもよい。
・・・
【０５９７】
　逆に、第２保留表示領域Ｗ３ｂにおいては保留画像ＴＢ１〜ＴＢ４の表示態様の変更は行わず、
指示表示領域Ｗ２においては「右打ち→」の指示表示を行う構成としてもよい。
・・・
【０５９９】
　また、
小当たり報知又は示唆に限らず、第２サブ変動保留エリアのいずれかの保留エリアに大当たり情報が格納されている場合に、その旨を遊技者に対し報知又は示唆する構成、すなわち大当たり報知を行う
　
　　ソ　上記ア〜セの記載事項を総合すると、引用文献１には、次の発明（以下「引用発明」という。）が記載されていると認められる（ａ〜ｉは、本願発明のＡ〜Ｉに対応させて当審判合議体にて付与した。）。
「ａ　遊技盤３０（遊技領域）に配設された上始動入賞口３３Ａ及び下始動入賞口３３Ｂのうちどちらかの入賞に対応して、装飾図柄表示装置４２にて変動表示が行われ、大当たりの組合わせの装飾図柄Ｚが停止表示されると、可変入賞装置３２の開閉板３２ｂが開放し、大入賞口３２ａへ遊技球が入賞可能な状態となり（【００２８】、【００７６】、【０５１６】、【０５１７】）、
　サブ制御装置２６２（【０１２７】）と、
　外部中継端子板２４０（【０１０５】）とを備える
　パチンコ遊技機において（【００１０】）、
　ｂ　発射装置６０から発射された遊技球が案内される、遊技盤３０とガラスユニット１３７との間に形成される遊技領域には、遊技者が、遊技球を発射する向きを切替えて遊技を行うことが可能なように、第１の領域を構成する可変表示装置ユニット３５の左側方領域と、第２の領域を構成する可変表示装置ユニット３５の右側方領域とがあり（【００８９】、【０５１０】、【０５１２】）、
　ｃ　通常状態においては、遊技者が可変表示装置ユニット３５の左側方領域に向けて遊技球を発射する「左打ち」をして遊技を行うことで、遊技球の多くは、可変表示装置ユニット３５の下側に位置する上始動入賞口３３Ａの方へと誘導され、そのうち、いくつの遊技球が上始動入賞口３３Ａへ入賞することとなり、遊技をより有利に進めることができ（【０５１０】、【０５１１】、【０５１３】）、
　ｄ　大当たりや小当たりが発生した場合、可変入賞装置３２は、遊技球が大入賞口３２ａへ入賞可能な開状態となり、遊技者が可変表示装置ユニット３５の右側方領域に向けて遊技球を発射する「右打ち」をして遊技を行うことで、遊技球の多くは、可変入賞装置３２の方へと誘導され（【００３２】、【０５１８】、【０５１９】）、
　ｅ、ｇ、ｇ１　サブ制御装置２６２は、
　大当たり演出が開始された場合に、指示表示領域Ｗ２に「右打ち」を推奨するように「右打ち→」と表示する（【０１２７】、【０５１８】）とともに、
　第２サブ変動保留エリアの保留第１〜第４エリアのいずれかに小当たり情報が含まれている場合に、保留表示変更処理において、指示表示領域Ｗ２に「右打ち→」と表示し（【０１２７】、【０４９３】、【０４９６】、【０５４１】、【０５９７】）、
　ｆ　外部中継端子板２４０は、遊技ホールのホールコンピュータなどへの各種情報送信を中継するためのものであり、現在の遊技状態に関する情報を出力するための端子等の複数の外部接続端子が設けられ（【０１０５】）、
　ｇ、ｇ２　大当たりの種別は、確変大当たりと通常大当たりとに大別され（【００３６】）、
　サブ制御装置２６２は、下始動入賞口３３Ｂに係る第２サブ変動保留エリアのいずれかの保留エリアに小当たり情報が格納されている場合には、大当たりのエンディングが終了した時点で小当たり報知又は示唆として、常に指示表示領域Ｗ２において「右打ち→」の指示表示を開始し、遊技者は「小当たり」が発生することを把握できるため、小当たりの取りこぼしが少なくなり（【０１２７】、【０５４１】、【０５４３】、【０５９１】、【０５９４】、【０５９５】、【０５９７】）、
　ｇ、ｇ３　サブ制御装置２６２は、小当たり報知又は示唆に限らず、第２サブ変動保留エリアのいずれかの保留エリアに大当たり情報が格納されている場合に、その旨を遊技者に対し報知又は示唆する大当たり報知を行う（【０１２７】、【０５９９】）、
　ｉ　パチンコ遊技機（【００１０】）。」
　
（２）引用文献２について
　同じく、当審で通知した拒絶の理由において引用された、本願の出願前に頒布された刊行物である引用文献２（特開２０１４−２０４８７０号公報）には、図面とともに次の事項が記載されている。
　
　　ア　記載事項
　　（ア）「【発明が解決しようとする課題】
【０００５】
　上記特許文献１に記載された技術は、態様が異なる複数種類の報知により、遊技者に対して右打ち指示を報知するものであるが、それらの報知は、遊技者に対して、右打ちの指示をより的確に行うためのものにすぎない。
【０００６】
　この発明は、上記実状に鑑みてなされたものであり、
報知の態様により、遊技の興趣を向上させることができる遊技機の提供を目的とする。
　
　　（イ）「【００２２】
　以下、図面を参照しつつ、本発明の一実施形態を詳細に説明する。図１は、本実施の形態におけるパチンコ遊技機の正面図であり、主要部材の配置レイアウトを示す。
パチンコ遊技機（遊技機）１
　
　　（ウ）「【０１５８】
　
遊技制御用マイクロコンピュータ１００における出力ポート２からは、発射位置指定信号（右）、
が出力される。発射位置指定信号（右）は、
遊技領域内における遊技球の最適な発射位置（発射目標位置）が右遊技領域２Ｂであるときにオン状態となる右位置指定の信号である。
　
　　（エ）「【０１８０】
　主基板１１は、
発射位置指定信号を含む試験端子出力信号を外部装置へと伝送可能な
パチンコ遊技機１に対する外部装置となる試験装置
　
　　（オ）「【０３５１】
　
右打ち指示報知は、遊技球を右遊技領域２Ｂに発射すべきことが遊技者に対して
報知される
第１右打ち指示報知ＡＲ１〜第３右打ち指示報知ＡＬ３のような明確な報知ではなく、遊技者が認識不可能または認識困難な第４右打ち指示報知ＡＲ４
を含む。
　
　　（カ）「【０４３４】
　図４８は、特別図柄の可変表示結果が「大当り」で大当り種別が「第１非確変」〜「第５非確変」や「第１確変」〜「第５確変」のいずれかとなる場合に、各種信号の出力例や発射領域報知の動作例を示すタイミング図である。なお、発射領域報知は、遊技球を発射すべき遊技領域を遊技者に報知するものであり、第１右打ち指示報知ＡＲ１〜第４右打ち指示報知ＡＲ４と、第１左打ち指示報知ＡＬ１〜第４左打ち指示報知ＡＬ４とが含まれている。
【０４３５】
　
可変表示結果が「大当り」となる場合に、
発射位置指定信号の外部出力が開始される。また、
第１右打ち指示報知ＡＲ１〜第３右打ち指示報知ＡＲ３のうちで
選択された右打ち指示報知が開始される。
【０４３６】
　その後、大当り遊技状態が終了することに対応して、図４８（Ａ）に示すように、大当り中信号がオン状態からオフ状態に変化する。すなわち、大当り中信号の外部出力が終了する。このときには、１６ラウンド大当り状態、又は、８ラウンド
大当り状態の終了後に時短制御が開始される
時短制御中においても発射位置指定信号の外部出力が継続して行われる。
選択された右打ち指示報知は、
時短制御が終了するまで行われ
【０４３７】
　
時短制御が終了するときには、
発射位置指定信号の外部出力が終了する。
【０４３８】
　図４９は、時短制御が行われていない遊技状態（通常状態や時短なし確変状態）において、特別図柄の可変表示結果が「大当り」で大当り種別が「突確」となる
時短外突確の場合に、
２ラウンド大当り状態に制御される。こうして大当り遊技状態が開始されることに対応して、
図４９（Ｃ）に示すように、発射位置指定信号の外部出力も開始される。また、
第４右打ち指示報知ＡＲ４が開始される。
【０４３９】
　その後、
大当り遊技状態が終了することに対応して、
図４９（Ｃ）に示すように、発射位置指定信号の外部出力が終了する。第４右打ち指示報知ＡＲ４は、図４９（Ｄ）にて実線で示すように大当り遊技状態が終了するまで行われてもよい
　
　　（キ）「
」
　
　　（ク）「【０４４１】
　時短制御が行われていない遊技状態（通常状態や時短なし確変状態）において、特別図柄の
可変表示結果が「小当り」となる時短外小当りの場合にも、図４９（Ｄ）に示した時短外突確の場合と同様に、第４右打ち指示報知ＡＲ４
が行われる。また、小当り遊技状態にて
図４９（Ｃ）に示した時短外突確の場合と同様に、発射位置指定信号の外部出力が行われる。
　
　　（ケ）「【０４４８】
　また、上記実施の形態では、大当り開始指定コマンドにより指定された大当たり種別に応じて右打ち指示報知を選択し、選択された右打ち指示報知の報知態様により、「非確変」又は「確変」の大当り種別で可変表示結果が「大当り」となった後に１６ラウンド大当り状態又は８ラウンド大当り状態に制御される確率が異なる。このため、
右打ち指示報知の報知態様に対する遊技者の注目を高め、興趣を向上させることができる。
　
　　イ　認定事項
　引用文献２には、【０４３８】に「・・・時短外突確の場合に、・・・２ラウンド大当り状態に制御される。こうして大当り遊技状態が開始されることに対応して、・・・図４９（Ｃ）に示すように、発射位置指定信号の外部出力も開始される。また、・・・第４右打ち指示報知ＡＲ４が開始される。」と記載され、
【０４３９】に「・・・大当り遊技状態が終了することに対応して、・・・図４９（Ｃ）に示すように、発射位置指定信号の外部出力が終了する。第４右打ち指示報知ＡＲ４は、図４９（Ｄ）にて実線で示すように大当り遊技状態が終了するまで行われてもよいし、・・・」と記載され、
【０４４１】に「・・・可変表示結果が「小当り」となる時短外小当りの場合にも、図４９（Ｄ）に示した時短外突確の場合と同様に、第４右打ち指示報知ＡＲ４・・・が行われる。また、小当り遊技状態にて・・・図４９（Ｃ）に示した時短外突確の場合と同様に、発射位置指定信号の外部出力が行われる」と記載されている。
　また、引用文献２には、「時短外突確の場合」についての発射位置指定信号などの出力例や発射領域報知の動作例を示すタイミング図である【図４９】には、大当りが終了するタイミングで、発射位置指定信号の出力、及び、発射領域報知（第４右打ち指示報知ＡＲ４）を終了することが図示され、また、「時短外小当り」の場合も、「時短外突確の場合」と同様であることが示されている。
　
　したがって、引用文献２の上記記載内容及び図示内容によれば、引用文献２には、「可変表示結果が「小当り」となる場合に、発射位置指定信号（右）の外部出力が開始されると、第４右打ち指示報知ＡＲ４も開始され、発射位置指定信号（右）の外部出力が終了すると、第４右打ち指示報知ＡＲ４も終了する」ことが記載されているものと認められる。
　
　　ウ　上記アの記載事項、上記イの認定事項からみて、引用文献２には、次の技術事項が記載されている（以下「引用文献２に記載された技術事項」という。）。
「遊技者に右遊技領域２Ｂに遊技球を発射すべきことを報知する右打ち指示報知を行うパチンコ遊技機１において（【００２２】、【０３５１】）、
　遊技制御用マイクロコンピュータ１００における出力ポート２から、試験端子出力信号に含まれ、遊技領域内における遊技球の最適な発射位置（発射目標位置）が右遊技領域２Ｂであるときにオン状態となる右位置指定の信号である、発射位置指定信号（右）が、パチンコ遊技機１に対する外部装置となる試験装置に出力され（【０１５８】、【０１８０】）、
　可変表示結果が「大当り」となる場合に、発射位置指定信号（右）の外部出力が開始されると、第１右打ち指示報知ＡＲ１〜第３右打ち指示報知ＡＲ３のうちから選択された右打ち指示報知も開始され、大当り状態の終了後に開始される時短制御中において、発射位置指定信号（右）の外部出力が継続して行われ、時短制御が終了するときに発射位置指定信号（右）の外部出力が終了すると、選択された右打ち指示報知も終了し（【０４３５】〜【０４３７】）、
　可変表示結果が「小当り」となる場合に、発射位置指定信号（右）の外部出力が開始されると、第４右打ち指示報知ＡＲ４も開始され、発射位置指定信号（右）の外部出力が終了すると、第４右打ち指示報知ＡＲ４も終了し(認定事項イ)、
　第４右打ち指示報知ＡＲ４を、第１右打ち指示報知ＡＲ１〜第３右打ち指示報知ＡＬ３のような明確な報知ではなく、遊技者が認識不可能または認識困難な報知とする（【０３５１】）ことで、右打ち指示報知の報知態様に対する遊技者の注目を高め、興趣を向上させることができる（【０４４８】）こと。」
　
（３）対比
　本願発明と引用発明とを、分説に従い対比する。
　（ａ、ｉ）
　引用発明の「上始動入賞口３３Ａ及び下始動入賞口３３Ｂのうちどちらかの入賞に対応して、装飾図柄表示装置４２にて変動表示が行われ」ること、「遊技盤３０（遊技領域）」は、それぞれ、本願発明の「遊技媒体を遊技領域に打込むことにより、変動表示を実行可能であ」ること、「遊技領域」に相当する。
　そして、引用発明の「可変入賞装置３２の開閉板３２ｂが開放し、大入賞口３２ａへ遊技球が入賞可能な状態とな」ることは、本願発明の「遊技者にとって有利な有利状態に制御可能な」ことに相当する。
　また、引用発明の「パチンコ遊技機」は、本願発明の「遊技機」に相当する。
　したがって、引用発明の構成ａ、ｉは、本願発明の構成Ａ、Ｉに相当する。
　
　（ｂ）
　引用発明の「遊技者が、遊技球を発射する向きを切替えて遊技を行うことが可能な」ことは、本願発明の「遊技媒体の打分けが可能な」ことに相当する。
　そして、引用発明の「第１の領域を構成する可変表示装置ユニット３５の左側方領域」、「第２の領域を構成する可変表示装置ユニット３５の右側方領域」は、それぞれ、本願発明の「第１経路」、「第２経路」に相当する。
　そうすると、引用発明の「発射装置６０から発射された遊技球が案内される、遊技盤３０とガラスユニット１３７との間に形成される遊技領域」は、本願発明の「遊技媒体が流下可能な経路」を「含む」「遊技領域」に相当する。
　したがって、引用発明の構成ｂは、本願発明の構成Ｂに相当する。
　
　（ｃ）
　引用発明の「遊技者が可変表示装置ユニット３５の左側方領域に向けて遊技球を発射する「左打ち」をして遊技を行うことで、遊技球の多くは、可変表示装置ユニット３５の下側に位置する上始動入賞口３３Ａの方へと誘導され」ることは、本願発明における「第１経路を遊技媒体が流下」することに相当する。
　そして、引用発明における「通常状態においては、」「いくつの遊技球が上始動入賞口３３Ａへ入賞することとなり、遊技をより有利に進めることができ」ることは、本願発明における「少なくとも通常状態においては」「有利に構成され」ることに相当する。
　したがって、引用発明の構成ｃは、本願発明の構成Ｃに相当する。
　
　（ｄ）
　引用発明の「大当たり」、「小当たり」は、それぞれ、本願発明の「有利状態」、「通常状態および有利状態とは異なる特定状態」に相当する。
　そして、引用発明の「可変入賞装置３２は、遊技球が大入賞口３２ａへ入賞可能な開状態となり、遊技者が可変表示装置ユニット３５の右側方領域に向けて遊技球を発射する「右打ち」をして遊技を行うことで、遊技球の多くは、可変入賞装置３２の方へと誘導され」ることは、本願発明の「第２経路を遊技媒体が流下した方が第１経路を遊技媒体が流下したときよりも遊技者にとって有利に構成され」ることに相当する。
　したがって、引用発明の構成ｄは、本願発明の構成Ｄに相当する。
　
　（ｅ）
　引用発明の「指示表示領域Ｗ２に「右打ち」を推奨するように「右打ち→」と表示する」こと、及び、「指示表示領域Ｗ２に「右打ち→」と表示」することは、本願発明の「第２経路への遊技媒体の打込みを促進させることが可能な促進報知を行なう」ことに相当する。
　したがって、引用発明の構成ｅ、ｇ、ｇ１の「指示表示領域Ｗ２に「右打ち」を推奨するように「右打ち→」と表示すると共に」「保留表示変更処理を行うことで、指示表示領域Ｗ２に「右打ち→」と表示」する「サブ制御装置２６２」は、本願発明の構成Ｅの「第２経路への遊技媒体の打込みを促進させることが可能な促進報知を行なう促進報知手段」に相当する。
　
　（ｆ）
　引用発明の構成ｆの「現在の遊技状態に関する情報を出力するための端子を含む複数の外部接続端子」と、本願発明の構成Ｆの「促進報知手段により促進報知を行なっているときに、促進報知をしていることを特定可能な特定信号を遊技機の外部に出力可能な外部信号出力手段」とは、「遊技に関する信号を遊技機の外部に出力可能な外部信号出力手段」である点で共通する。
　
　（ｇ、ｇ１）
　上記（ｅ）より、引用発明の「大当たり演出が開始された場合に、指示表示領域Ｗ２に「右打ち」を推奨するように「右打ち→」と表示する」ことは、本願発明の「有利状態」「において促進報知を行な」うことに相当する。
　したがって、引用発明の構成ｅ、ｇ、ｇ１と、本願発明の構成Ｇ、Ｇ１とは、「促進報知手段は、有利状態において」「促進報知を行なう」ことで共通する。
　
　（ｇ、ｇ２）
　引用発明において、「大当たりの種別」に「確変大当たりと通常大当たり」があり、「大当たりの種別」が「通常大当たり」である場合、技術常識からみて、「大当たり」終了後の遊技状態は、通常遊技状態となるものである。
　そうすると、引用発明は、「大当たり」終了後の遊技状態が通常遊技状態となることを含むものであるから、本願発明の「有利状態の終了後の状態が通常状態であ」ることに相当する構成を含む。
　
　そして、本願発明の「有利状態の終了後に実行される１回目の変動表示が特定状態に制御可能な表示結果」の「変動開始時においても促進報知を行なうことが可能であ」ることは、令和３年３月５日に提出された意見書によると、本願明細書の【０２９０】の「演出制御用マイクロコンピュータ１００においては、図１９（Ｂ）に示すように、通常大当りの大当り遊技状態の
大当り遊技状態となる直前に、次回の順番で変動表示される保留記憶情報として小当り表示結果となる第２特別図柄の保留記憶情報が記憶されている場合に、その保留記憶情報に基づく第２特別図柄の変動表示が当該大当り遊技状態の終了後の１回目の変動表示として実行されるとき
　一方、引用発明の「大当たり終了後に」「小当たり情報が保留エリアに格納されている場合」には、大当たり終了後の最初に実行される変動表示に対応する「保留エリア」に、小当たり情報が格納されている場合を含むものである。
　そうすると、「大当たり終了後に」「小当たり情報が保留エリアに格納されている場合」は、本願発明の「有利状態の終了後に実行される１回目の変動表示が特定状態に制御可能な表示結果となる変動表示であるとき」に相当する。
　
　ここで、引用発明の「大当たりのエンディングが終了した時点」（以下「終了時点ａ」という。）と、大当たり終了後に開始される変動表示の開始時点（以下「開始時点ｂ」という。）とが同じタイミングであるか否かについて検討する。
　遊技機の技術分野において、大当たりが終了すると同時に、大当たり中に保留エリアのうち一番先に保留エリアに格納さている「情報」に基づく変動表示が開始されることは、当業者における技術常識であるから、引用発明において、終了時点ａと開始時点ｂとは同じタイミングである。
　したがって、引用発明の「大当たりのエンディングが終了した時点で小当たり報知又は示唆として、常に指示表示領域Ｗ２において「右打ち→」の指示表示を開始」することは、「大当たりのエンディングが終了した時点である」大当たり終了後に、大当たり中に保留エリアのうち一番先に保留エリアに格納されている「情報」に基づく、最初の変動表示の変動開始時に「「右打ち→」の指示表示を開始」することであるといえることから、本願発明の「有利状態の終了後に実行される１回目の変動表示が特定状態に制御可能な表示結果となる変動表示」の「変動開始時においても促進報知を行なうことが可能」であることに相当する。
　したがって、引用発明の構成ｇ、ｇ２は、本願発明の構成Ｇ、Ｇ２に相当する。
　
　（ｇ、ｇ３）
　上記（ｇ、ｇ２）より、引用発明は、「大当たり」遊技終了後の遊技状態が通常遊技状態となることを含むものであるから、本願発明の「有利状態の終了後の状態が通常状態であ」ることを含む。
　そして、引用発明において行われる「その旨を遊技者に対し報知又は示唆する大当たり報知」は、「小当たり報知又は示唆に限らず」行われることから、「大当たり報知」が行われるタイミングは、「小当たり報知又は示唆」が行われるタイミングを特定する構成ｇ、ｇ２より、「大当たりのエンディングが終了した時点で」あるといえる。
　また、引用発明の「第２サブ変動保留エリアのいずれかの保留エリアに大当たり情報が格納されている場合」は、本願発明の「有利状態の終了後に実行される変動表示が有利状態に制御可能な表示結果となる変動表示であるとき」に相当する。
　上記（ｇ、ｇ２）において検討したように、引用発明の「大当たりのエンディングが終了した時点で小当たり報知又は示唆として、常に指示表示領域Ｗ２において「右打ち→」の指示表示を開始」することは、「大当たりのエンディングが終了した時点である」大当たり終了後に、大当たり中に保留エリアのうち一番先に保留エリアに格納されている「情報」に基づく、最初に開始される変動表示の変動開始時に「「右打ち→」の指示表示を開始」することであるといえる。
　そうすると、引用発明の「大当たりのエンディングが終了した時点で小当たり報知又は示唆として、常に指示表示領域Ｗ２において「右打ち→」の指示表示を開始」することは、本願発明の「有利状態の終了後に実行される変動表示が有利状態に制御可能な表示結果となる変動表示」の「変動開始時においても促進報知を行なうことが可能」であることに相当する。
　したがって、引用発明の構成ｇ、ｇ３は、本願発明の構成Ｇ、Ｇ３に相当する。
　
　上記（ａ、ｉ）〜（ｇ、ｇ３）によれば、本願発明と引用発明は、
「Ａ　遊技媒体を遊技領域に打込むことにより、変動表示を実行可能であり、遊技者にとって有利な有利状態に制御可能な遊技機において、
　Ｂ　前記遊技領域は、遊技媒体が流下可能な経路として、遊技媒体の打分けが可能な第１経路と第２経路とを含み、
　Ｃ　少なくとも通常状態においては前記第１経路を遊技媒体が流下した方が有利に構成され、
　Ｄ　少なくとも前記有利状態と、前記通常状態および前記有利状態とは異なる特定状態と、において、前記第２経路を遊技媒体が流下した方が前記第１経路を遊技媒体が流下したときよりも遊技者にとって有利に構成され、
　Ｅ　前記第２経路への遊技媒体の打込みを促進させることが可能な促進報知を行なう促進報知手段と、
　Ｆ´遊技に関する信号を遊技機の外部に出力可能な外部信号出力手段と、を備え、
　Ｇ´前記促進報知手段は、
　Ｇ１´前記有利状態において、及び、特定状態に関連して前記促進報知を行ない、
　Ｇ２　当該有利状態の終了後の状態が前記通常状態であったとしても、当該有利状態の終了後に実行される１回目の変動表示が前記特定状態に制御可能な表示結果となる変動表示であるときに変動開始時においても前記促進報知を行ない、
　Ｇ３　当該有利状態の終了後の状態が前記通常状態であったとしても、当該有利状態の終了後に実行される変動表示が前記有利状態に制御可能な表示結果となる変動表示であるときに、変動開始時においても前記促進報知を行なうことが可能である、
　Ｉ　遊技機。」
の点で一致し、次の点で相違する。
　
［相違点１（構成Ｆ）］
　外部信号出力手段により遊技機の外部に出力可能な遊技に関する信号に関して、
　本願発明は、「促進報知手段により促進報知を行なっているときに、促進報知をしていることを特定可能な特定信号」であるのに対して、
　引用発明は、現在の遊技状態に関する情報である点。
　
［相違点２（構成Ｇ、Ｇ１）］
　本願発明は、「特定状態」「において促進報知を行な」うのに対して、
　引用発明は、「小当たり」遊技において、指示表示領域Ｗ２に「右打ち→」と表示するか否か不明である点。
　
［相違点３（構成Ｇ４）］
　本願発明は、特定状態中に行なわれる促進報知を、有利状態中に行なわれる促進報知よりも視認が困難な報知態様で行なうことが可能であるのに対して、引用発明は、そもそも、「小当たり」遊技において、指示表示領域Ｗ２に「右打ち→」と表示するか否か不明であるため、本願発明の構成を備えない点。
　
［相違点４（構成Ｈ）］
　本願発明は、「外部信号出力手段は、有利状態において特定信号を遊技機の外部に出力するとともに、当該有利状態の終了後に実行される変動表示が特定状態に制御可能な表示結果となる変動表示であるときには当該有利状態の終了後においても特定信号を遊技機の外部に出力する」のに対して、引用発明は、そのような構成を有しない点。
            
（４）当審判合議体の判断
　そこで、上記相違点１〜４について検討する。
　　ア　相違点２（構成Ｇ、Ｇ１）及び相違点３（構成Ｇ４）について
　相違点２および相違点３は、「特定状態」における「促進報知」に関する事項なので、まとめて検討する。
　引用発明は、一方で、「大当たり」に関して、「大当たり演出が開始された場合に、指示表示領域Ｗ２に「右打ち」を推奨するように「右打ち→」と表示する」構成（構成ｅ、ｇ、ｇ１）を備えるものである。
　そして、一般に「大当たり」遊技も「小当たり」遊技も遊技者にとって有利な遊技状態であるといえる。
　また、引用発明は、他方で、「下始動入賞口３３Ｂに係る第２サブ変動保留エリアのいずれかの保留エリアに小当たり情報が格納されている場合」についてではあるが、「大当たりのエンディングが終了した時点で小当たり報知又は示唆として、常に指示表示領域Ｗ２において「右打ち→」の指示表示を開始」する構成（構成ｇ、ｇ２）を備えるものである。
　ここで、上記「（３）対比　（ｇ、ｇ２）」において検討したように、終了時点ａと開始時点ｂとは同じタイミングであるから、引用発明は、小当たり遊技に係る変動の開始時において、「右打ち→」の指示表示を表示する構成を備えるものといえる。
　これらのことからみて、引用発明において、小当たり遊技においても、「右打ち→」の指示表示を表示することの動機付けはあるといえる。
　
　ところで、遊技機の技術分野において、大当たり遊技に加えて小当たり遊技において、遊技球を右遊技領域に発射すべきことを遊技者に報知するために右打ち促進報知を行うとともに、小当たり遊技における右打ち促進報知の報知態様を、大当たり遊技における右打ち促進報知の報知態様よりも視認が困難な態様とすることで、大当たり遊技における右打ち促進報知の報知態様に対する遊技者の注目を高め、興趣を向上させることは、本願出願前に周知の技術事項である（例えば、上記引用文献２に記載された技術事項や、
　引用文献２と同様の内容の記載された特開２０１４−２２３１９９号公報の【００２４】、【０１６０】、【０３５３】、【０４３６】〜【０４４３】【０４５０】の記載や、
　特開２０１２−１１０４８３号公報の【図３９】、【０３５４】、【０３５８】、【０３７７】等の記載や、
　特開２０１１−１３９７３７号公報の「ぱちんこ遊技機１００は、長当たり当選時には報知ランプ１２１および画像表示部１０４の双方にて右打ちの報知をおこなうとともに、短当たりや小当り当選時には報知ランプ１２１のみによって右打ちの報知をおこなうようにしてもよい。これによって、打ち方を切り替える前に大当たりが終了してしまったときに大きな不利益が生じてしまう長当たりのときのみ、主制御部２０１と演出制御部２０２との双方により右打ちすべきことを遊技者に明確に指示して、遊技者に大きな不利益が生じてしまうことを防止することができる。」（【０２８９】）という記載を参照のこと。以下「周知の技術事項」という。）。
　そして、引用発明において、「小当たり」が発生した場合、「可変入賞装置３２は、遊技球が大入賞口３２ａへ入賞可能な開状態となり、遊技者が可変表示装置ユニット３５の右側方領域に向けて遊技球を発射する「右打ち」をして遊技を行うことで、遊技球の多くは、可変入賞装置３２の方へと誘導され」るものである。
　したがって、引用発明において、「小当たり」が発生した場合、「右打ち」を行うことで、遊技球が「可変入賞装置３２」への入賞が生じるというメリットを生じるものであるから、引用発明は、「小当たり」が発生した場合、「右打ち」報知を行う課題を内在するものであるといえる。
　これらのことからみて、引用発明に上記周知の技術事項を適用して、「小当たり」遊技においても「大当たり」遊技と同様に、遊技球を右遊技領域に発射すべきことを遊技者に報知するために右打ち促進報知を行うと共に、「小当たり」遊技における右打ち促進報知の報知態様を、「大当たり」遊技における右打ち促進報知の報知態様よりも視認が困難な態様にて報知し、上記相違点２及び３に係る本願発明の構成とすることは、当業者が容易になし得たものである。
　
　　イ　相違点１（構成Ｆ）及び相違点４（構成Ｈ）について
　相違点１及び相違点４は、「外部信号出力手段」に関する事項なので、まとめて検討する。
　引用文献２に記載された技術事項の「遊技領域内における遊技球の最適な発射位置（発射目標位置）が右遊技領域２Ｂであるときにオン状態となる右位置指定の信号である、発射位置指定信号（右）」は、「可変表示結果が「大当り」となる場合に、発射位置指定信号（右）の外部出力が開始されると、第１右打ち指示報知ＡＲ１〜第３右打ち指示報知ＡＲ３のうちから選択された右打ち指示報知も開始され、大当り状態の終了後に開始される時短制御中において、発射位置指定信号（右）の外部出力が継続して行われ、時短制御が終了するときに発射位置指定信号（右）の外部出力が終了すると、選択された右打ち指示報知も終了し」、また、「可変表示結果が「小当り」となる場合に、発射位置指定信号（右）の外部出力が開始されると、第４右打ち指示報知ＡＲ４も開始され、発射位置指定信号（右）の外部出力が終了すると、第４右打ち指示報知ＡＲ４も終了」するものであって、「右打ち指示報知」には「発射位置指定信号（右）の外部出力」が必要だから、「発射位置指定信号（右）」は、実質的に「右打ち指示報知」を特定しているといえる。そうすると、引用文献２に記載された技術事項の「遊技領域内における遊技球の最適な発射位置（発射目標位置）が右遊技領域２Ｂであるときにオン状態となる右位置指定の信号である、発射位置指定信号（右）」は、本願発明の構成Ｆの「促進報知をしていることを特定可能な特定信号」に相当する。
　そして、引用文献２に記載された技術事項の「出力ポート２から」「試験装置に」、「試験端子出力信号に含まれ」る「発射位置指定信号（右）」を「出力」する「遊技制御用マイクロコンピュータ１００」は、本願発明の構成Ｆの「特定信号を遊技機の外部に出力可能な外部信号出力手段」に相当する。
　ところで、引用発明は、構成ｅ、ｇ、ｇ１によると、「大当たり演出が開始された場合に、指示表示領域Ｗ２に「右打ち」を推奨するように「右打ち→」と表示する」ものである。
　ここで、引用発明の「「右打ち→」の指示表示」は、「現在の遊技状態に関する情報」の１つであるといえるし、引用文献２より、実質的に「右打ち指示報知」をしていることを特定している「発射位置指定信号（右）」を、「パチンコ遊技機１に対する外部装置」に出力することが公知であるといえる。
　また、引用発明と引用文献２に記載された技術事項とは、遊技者に右打ち指示表示を行うという共通の機能を有するものである。
　これらのことからみて、引用発明に、「発射位置指定信号（右）」を「出力」に関する上記引用文献２に記載された技術事項を適用して、「大当たり」遊技、「小当たり」遊技、大当たりが終了して最初に開始される「小当たり」及び「大当たり」に係る変動表示の変動開始時のいずれの場合に「右打ち→」の指示表示を行う際に、「外部接続端子」から、「右打ち→」の指示表示をしていることを特定可能な信号である「発射位置指定信号（右）」をパチンコ遊技機の外部に出力可能とし、上記相違点１及び４に係る本願発明の構成とすることは、当業者が適宜なし得たものである。
　
　　ウ　小括
　上記ア〜イより、本願発明は、引用発明、引用文献２に記載された技術事項、及び、周知の技術事項に基づいて当業者が容易になし得たものである。
　
　　エ　請求人の主張について
　令和３年３月５日付け意見書において、請求人は、「本願請求項１に記載の発明では、特定状態中に行なわれる促進報知を、有利状態中に行なわれる促進報知よりも視認が困難な報知態様で行なうことが可能であることにより、有利状態中に行なわれる促進報知に基づいて、現在有利状態に制御されていることを遊技者に強く印象付けることができ、促進報知により遊技の興趣を向上させることができます。」（「（５）（５−１）（iv）本願発明と引用文献との相違点」を参照。）と主張する。
　
　そこで、請求人の上記主張について検討する。
　上記アにおいて検討したように、遊技機の技術分野において、小当たり遊技における右打ち促進報知の報知態様を、大当たり遊技における右打ち促進報知の報知態様よりも視認が困難な態様とすることで、大当たり遊技における右打ち促進報知の報知態様に対する遊技者の注目を高め、興趣を向上させるという効果を奏することは、本願出願前に周知の技術事項であり、請求人の主張する上記本願発明の効果は、上記周知の技術事項から導き出せる効果である。
　よって、請求人の上記意見書における主張を採用することはできない。
　
　　オ　本願発明の奏する効果について
　本願発明により奏される効果は、当業者が、引用発明、引用文献２、３に記載された技術事項、及び、周知の技術事項から予測し得た効果の範囲内のものであって、格別なものではない。
　
（５）まとめ
　上記（１）〜（４）より、 本願発明は、特許法第２９条第２項の規定により特許を受けることができない。
　したがって、本願は拒絶すべきである。
　
　よって、結論のとおり審決する。